(57)【要約】【課題】煩雑な操作を行うことなく、テレビの表示画像に関連する画像を表示可能な情報処理装置、情報処理方法、およびプログラムを提供する。【解決手段】テレビジョン受信機３の近傍に設置され、テレビジョン受信機３に所定のチャンネルを選択させるチャンネル選択信号を受信する受信部２５と、通信ネットワーク６を介して通信を行うＩＦと、受信部２５で受信されたチャンネル選択信号に対応する関連画像を提供する情報提供サーバ５にＩＦを介してアクセスし、情報提供サーバ５から提供されたチャンネル選択信号に対応する関連画像を表示させる処理を行うＣＰＵと、関連画像を表示する表示部２３とを設ける。【選択図】　図１
2004096529.tif 000002
【特許請求の範囲】
【請求項１】
テレビジョン受信機に所定のチャンネルを選択させるチャンネル選択信号を受信する受信手段と、
通信手段と、
前記受信手段で受信された前記チャンネル選択信号に対応する関連画像を提供する通信装置に前記通信手段を介してアクセスし、当該通信装置から提供された前記チャンネル選択信号に対応する関連画像を表示させる処理を行う制御手段とを有する
情報処理装置。
【請求項２】
前記チャンネル選択信号と、テレビジョン放送の前記所定のチャンネルとを対応付けるチャンネル対応情報を記憶する記憶手段を有し、
前記制御手段は、前記チャンネル対応情報、および前記受信手段で受信されたチャンネル選択信号に基いて前記所定のチャンネルを特定し、当該特定されたチャンネルに対応する関連画像を提供する通信装置に前記通信手段を介してアクセスし、当該通信装置から提供された前記特定されたチャンネルに対応する関連画像を表示させる処理を行う
請求項１に記載の情報処理装置。
【請求項３】
前記制御手段は、前記テレビジョン放送の所定のチャンネルで放送される番組の切替に応じて、当該番組に対応する関連画像を提供する通信装置に前記通信手段を介してアクセスし、当該通信装置から提供された当該関連画像を表示させる処理を行う
請求項２に記載の情報処理装置。
【請求項４】
前記チャンネルと前記チャンネル選択情報とを対応付けて設定させる設定データを入力する入力手段を有し、
前記制御手段は、前記受信手段で受信されたチャンネル選択信号、および前記入力手段で入力された設定データに基いて、前記チャンネル対応情報を生成し、前記記憶手段に記憶する
請求項２に記載の情報処理装置。
【請求項５】
前記チャンネル選択信号と、前記チャンネル選択信号に対応する関連画像を提供する通信装置の所在を示すアドレス情報とを対応付けるアドレス対応情報を記憶する記憶手段を有し、
前記制御手段は、前記記憶手段に記憶されたアドレス対応情報、および前記受信手段で受信されたチャンネル選択信号に基いて、当該チャンネル選択信号に対応するアドレス情報を特定し、当該アドレス情報に応じた通信装置に前記通信手段を介してアクセスし、当該通信装置から提供された前記関連画像を表示させる処理を行う
請求項１に記載の情報処理装置。
【請求項６】
前記制御手段は、テレビジョン放送の所定のチャンネルで放送される番組の切替に応じて、前記関連画像のアドレス情報を変更する
請求項５に記載の情報処理装置。
【請求項７】
前記通信装置は、テレビジョン放送の前記チャンネルそれぞれで放送される番組と、時刻とを対応付けた番組編成情報を提供し、
前記制御手段は、前記通信装置に前記通信手段を介してアクセスし、当該通信装置から提供された前記番組編成情報、前記チャンネル選択信号、および現在の時刻に基いて、前記テレビジョン受信機に表示されている番組を特定する
請求項１に記載の情報処理装置。
【請求項８】
前記テレビジョン受信機の電源を監視し、前記電源を制御する電源制御手段を有し、
前記制御手段は、前記受信手段で前記テレビジョン受信機の電源を制御させる電源制御信号が受信された場合には、当該電源制御信号に基いて情報処理装置の電源を前記電源制御手段に制御させる
請求項１に記載の情報処理装置。
【請求項９】
前記制御手段は、前記受信手段で前記電源制御信号が受信された場合には、当該電源制御信号に応じた画像を表示する処理を行う
請求項８に記載の情報処理装置。
【請求項１０】
前記制御手段は、所定のタイミングで、前記通信装置に前記通信手段を介してアクセスして、当該通信装置から提供された関連画像に基いて、前記表示させている前記関連画像の更新を行う
請求項１に記載の情報処理装置。
【請求項１１】
テレビジョン受信機に所定のチャンネルを選択させるチャンネル選択信号を受信し、
前記受信したチャンネル選択信号に対応する関連画像を提供する通信装置にアクセスし、当該通信装置から提供された前記チャンネル選択信号に対応する関連画像を表示させる処理を行う
情報処理方法。
【請求項１２】
前記チャンネル選択信号とテレビジョン放送の前記所定のチャンネルとを対応付けるチャンネル対応情報、および前記受信されたチャンネル選択信号に基いて前記所定のチャンネルを特定し、当該特定されたチャンネルに対応する関連画像を提供する通信装置にアクセスし、当該通信装置から提供された前記特定されたチャンネルに対応する関連画像を表示させる処理を行う
請求項１１に記載の情報処理方法。
【請求項１３】
情報処理装置で実行されるプログラムであって、
受信手段に、テレビジョン受信機に所定のチャンネルを選択させるチャンネル選択信号を受信させる手順と、
前記受信したチャンネル選択信号に対応する関連画像を提供する通信装置にアクセスし、当該通信装置から提供された前記チャンネル選択信号に対応する関連画像を表示させる処理を行う手順とを有する
プログラム。
【請求項１４】
前記関連画像を表示させる場合には、前記チャンネル選択信号とテレビジョン放送の前記所定のチャンネルとを対応付けるチャンネル対応情報、および前記受信手段で受信されたチャンネル選択信号に基いて前記所定のチャンネルを特定し、当該特定されたチャンネルに対応する関連画像を提供する通信装置にアクセスし、当該通信装置から提供された前記特定されたチャンネルに対応する関連画像を表示させる処理を行う
請求項１３に記載のプログラム。
【発明の詳細な説明】
【０００１】
【発明の属する技術分野】
本発明は、例えば、テレビジョン放送に関連した画像を表示する情報処理装置、情報処理方法、およびプログラムに関するものである。
【０００２】
【従来の技術】
従来、テレビジョン放送を受信して所定の画像を表示するテレビジョン受信機（テレビとも言う）が普及している。
また、通信技術の発達により、そのテレビの表示画像に関する情報や画像、例えば所定の番組の関連画像を提供するサーバに、通信回線を介してアクセスして、その関連画像を表示する情報処理装置、例えばパーソナルコンピュータが知られている。
【０００３】
【発明が解決しようとする課題】
しかし、上述したテレビや情報処理装置において、例えば、ユーザがテレビで所望の番組を見ている場合に、その番組に関連する情報や画像を表示させたい場合には、テレビの操作とは別に、情報処理装置の操作、例えば番組の関連画像を提供するサーバを検索し、検索結果のサーバのＵＲＬ（Ｕｎｉｆｏｒｍ　ｒｅｓｏｕｒｃｅ　ｌｏｃａｔｏｒ）にアクセスして関連画像を表示させるという煩雑な操作を行わなければならず、非常に面倒であるという問題点があった。
【０００４】
本発明は、かかる事情に鑑みてなされたものであり、その目的は、煩雑な操作を行うことなく、テレビの表示画像に関連する画像を表示可能な情報処理装置、情報処理方法、およびプログラムを提供することにある。
【０００５】
【課題を解決するための手段】
前記目的を達成するために、第１の発明の情報処理装置は、テレビジョン受信機に所定のチャンネルを選択させるチャンネル選択信号を受信する受信手段と、通信手段と、前記受信手段で受信された前記チャンネル選択信号に対応する関連画像を提供する通信装置に前記通信手段を介してアクセスし、当該通信装置から提供された前記チャンネル選択信号に対応する関連画像を表示させる処理を行う制御手段とを有する。
【０００６】
第１の発明の情報処理装置によれば、受信手段では、テレビジョン受信機に所定のチャンネルを選択させるチャンネル選択信号が受信される。
制御手段では、受信手段で受信されたチャンネル選択信号に対応する関連画像を提供する通信装置に通信手段を介してアクセスし、当該通信装置から提供されたチャンネル選択信号に対応する関連画像を表示させる処理を行う。
【０００７】
さらに、前記目的を達成するために、第２の発明の情報処理方法は、テレビジョン受信機に所定のチャンネルを選択させるチャンネル選択信号を受信し、前記受信したチャンネル選択信号に対応する関連画像を提供する通信装置にアクセスし、当該通信装置から提供された前記チャンネル選択信号に対応する関連画像を表示させる処理を行う。
【０００８】
さらに、前記目的を達成するために、第３の発明のプログラムは、情報処理装置で実行されるプログラムであって、受信手段に、テレビジョン受信機に所定のチャンネルを選択させるチャンネル選択信号を受信させる手順と、前記受信したチャンネル選択信号に対応する関連画像を提供する通信装置にアクセスし、当該通信装置から提供された前記チャンネル選択信号に対応する関連画像を表示させる処理を行う手順とを有する。
【０００９】
【発明の実施の形態】
図１は、本発明に係る情報表示システムの一実施の形態を示す全体図である。情報表示システム１は、例えば図１に示すように、情報処理装置２、テレビジョン受信機３、リモコン装置４、および情報提供サーバ５を有する。
本発明に係る情報処理装置２は、情報提供サーバ５と、例えば通信ネットワーク６を介して接続されている。例えば、情報提供サーバ５は、複数設けられていてもよい。
【００１０】
テレビジョン受信機３
テレビジョン受信機（テレビとも言う）３は、例えばテレビジョン放送局７から送信された番組を受信し、所定の番組を表示する。
例えば複数のテレビジョン放送局７それぞれは、所定のチャンネルで所定の番組を放送している。
テレビ３は、リモコン装置４から出力された信号を受信するための受信部３１を有する。
テレビ３は、受信部３１で受信された信号に応じた処理、例えば、チャンネルを選択させるチャンネル選択信号を受信した場合には、そのチャンネル選択信号に応じた所定のチャンネルを選択して所定の番組を表示する。
【００１１】
リモコン装置４
リモコン装置（リモコンとも言う）４は、例えば複数のスイッチ、具体的には電源スイッチ４１およびチャンネル選択スイッチ４２等を有し、それらのスイッチの操作に応じた信号をテレビジョン受信機３に出力する。
【００１２】
例えば、リモコン装置４の電源スイッチ４１が操作されると、操作に応じて電源制御信号がテレビ３に送信される。テレビ３は、その電源制御信号を受信すると、例えば電源をオン状態からオフ状態（またはスタンバイ状態）、またはオフ状態（スタンバイ状態）からオン状態に切替える。
また、リモコン装置４のチャンネル選択スイッチ４２が操作されると、操作に応じたチャンネル選択信号がテレビ３に送信される。テレビ３は、上述したように、そのチャンネル選択信号に応じたチャンネルを選択して所定の番組を表示する。
【００１３】
情報提供サーバ５
情報提供サーバ５は、例えば、テレビジョン放送局７から出力される番組に関する情報、例えば関連画像を有し、要求に応じて所定の情報を要求元に提供する。情報提供サーバ５は、本発明に係る通信装置に相当する。
情報提供サーバ５は、例えば、番組編成提供サーバ５−１、番組情報提供サーバ５−２、およびテレビ連動情報提供サーバ５−３を有する。
【００１４】
番組編成提供サーバ５−１は、例えば、放送されている番組の編成に関する情報を有し、要求に応じて情報処理装置２に提供する。具体的には、番組編成提供サーバ５−１は、テレビジョン放送のチャンネルそれぞれで放送される番組と、時刻とを対応付けた番組編成情報を有し、要求に応じて、要求元の情報処理装置２に提供する。
【００１５】
番組編成提供サーバ５−１は、例えば情報処理装置２から通信ネットワーク６を介して送信された、チャンネル情報と現時刻を示す時刻情報に基いて、現在放送中の番組を特定し、要求元の情報処理装置２に、その特定された番組に関する情報を提供する。
【００１６】
番組を特定する処理に関しては、上述した形態に限られるものではない。例えば、番組編成提供サーバ５−１は時刻と、チャンネルそれぞれで放送される番組とを対応付けた番組編成情報を有し、要求に応じて情報処理装置２に番組編成情報を提供する。情報処理装置２では、現在の時刻情報、チャンネル、および番組編成情報に基いて、テレビ３に表示されている番組を特定してもよい。
【００１７】
番組情報提供サーバ５−２は、例えば、特定された番組に関連した情報を提供する情報源情報を記憶し、要求に応じて提供する。例えば、情報源情報は、所定の番組と、その番組に関連した情報や関連画像の所在を示すアドレス情報、ＵＲＬを含む。
番組情報提供サーバ５−２は、例えば情報処理装置２から通信ネットワーク６を介して送信された、特定された番組を示す情報に基いて、特定された番組に関連した情報を提供する情報源情報を、要求元の情報処理装置２に提供する。
【００１８】
テレビ連動情報提供サーバ５−３は、例えば、テレビ連動情報を記憶し、要求に応じて提供する。
テレビ連動情報提供サーバ５−３は、例えば情報処理装置２から通信ネットワーク６を介してアクセスされ、情報源情報に応じた情報に基いて、要求元の情報処理装置２にテレビ連動情報、関連画像等を提供する。例えばテレビ連動情報は関連画像を含む。
【００１９】
情報処理装置２
図２は、図１に示した情報処理装置のハードウェア的な機能ブロック図である。
情報処理装置２は、例えば図２に示すように、ＩＦ２１、入力部２２、表示部２３、電源管理部２４、受信部２５、メモリ２６、およびＣＰＵ２７を有する。ＩＦ２１、入力部２２、表示部２３、電源管理部２４、受信部２５、メモリ２６、およびＣＰＵ２７は、バスＢＳにより接続されている。
【００２０】
ＩＦ２１は本発明に係る通信手段に相当し、電源管理部２４は本発明に係る電源管理手段に相当し、メモリ２６は本発明に係る記憶手段に相当し、ＣＰＵ２７は本発明に係る制御手段に相当する。
【００２１】
ＩＦ２１は、通信ネットワーク６を介して、例えば、関連画像等を提供する情報提供サーバ５にアクセスし、所定の情報、例えば関連画像等を受信する。
入力部２２は、例えば、キーボードやマウス等の入力装置である。入力部２２は入力されたデータをＣＰＵ２７に出力する。
表示部２３は、ＣＰＵ２７の制御のもと、所定の画像、例えば関連画像を表示する。例えば、表示部２３はＬＣＤ等のディスプレイである。
【００２２】
電源管理部２４は、テレビジョン受信機３の電源を管理する。例えば、電源管理部２４は、テレビ３の電源の消費電力等を検出し、検出結果に基いて、オン状態およびオフ状態を監視する。
電源管理部２４は、具体的には、テレビ３による消費電力が所定の値よりも高い場合には、テレビ３がオン状態であると判別する。テレビ３による消費電力が所定の値よりも低い場合には、テレビ３がオフ状態であると判別する。
【００２３】
例えば、ＣＰＵ２７は、テレビ３がオン状態の場合に、受信部２５で電源制御信号を受信した場合には、電源管理部２４に、情報処理装置２への電源の供給をストップさせてもよい。また、表示部２３への電源の供給をストップする等のスタンバイモードへ移行する処理を行ってもよい。この際、ＣＰＵ２７は、電源制御信号をトリガとして所定の処理、例えば所定の処理を終了してもよいし、例えば表示部２３に所定の画像、例えば終了することを示す画像を表示させてもよい。
【００２４】
また、ＣＰＵ２７は、テレビ３がオフ状態の場合に、受信部２５で電源制御信号を受信した場合には、この電源制御信号をトリガとして所定の処理を行ってもよい。例えば、スタンバイモードから通常モードに移行させる処理を行ってもよい。また、例えば表示部２３に所定の画像、例えばスタートを示す画像を表示させてもよい。
【００２５】
電源管理部２４は、上述の形態に限られるものではない。例えば電源管理部２４を独立して設け、テレビ３の電源のオン状態およびオフ状態に同期して、情報処理装置２の電源のオン状態またはオフ状態を同期するようにしてもよい。
【００２６】
受信部２５は、例えば、テレビジョン受信機３の近傍に設置され、リモコン装置４から送信された信号、例えばチャンネル選択信号や電源制御信号等を受信し、ＣＰＵ２７に出力する。
受信部２５は、リモコン装置４から送信される信号の搬送波が赤外線の場合には、赤外線受光部である。
【００２７】
メモリ２６は、例えば、ＲＡＭ（Ｒａｎｄｏｍ　ａｃｃｅｓｓ　ｍｅｍｏｒｙ）、ＲＯＭ（Ｒｅａｄ　ｏｎｌｙ　ｍｅｍｏｒｙ）、やＨＤ（Ｈａｒｄ　ｄｉｓｋ　）等の記憶部である。
メモリ２６は、例えば、ＣＰＵ２７により実行され、本実施の形態に係る所定の処理を行わせるプログラムＰを記憶する。
【００２８】
メモリ２６は、例えば、チャンネル対応情報Ｄ＿Ｃや、アドレス対応情報Ｄ＿Ａ等を記憶する。
チャンネル対応情報Ｄ＿Ｃは、例えばリモコン装置４から送信され、受信部２５で受信された信号と、所定の動作を対応付けるテーブルである。
【００２９】
図３は、図１に示した情報処理装置のメモリに記憶されているチャンネル対応情報Ｄ＿Ｃの一具体例を示す図である。
例えば、リモコン装置４は、所定のチャンネルや制御情報を示すリモコンコードに基いて、赤外線の搬送波を変調して送信する。
具体的には、チャンネル対応情報Ｄ＿Ｃは、例えば図３に示したように、受信部２５で受信された信号（リモコンコード）と、チャンネルや電源制御等の所定の対応動作とを対応付けるテーブルを含む。
【００３０】
アドレス対応情報Ｄ＿Ａは、例えば、チャンネルと、情報提供サーバ５の所在を示すアドレス情報とを対応付けるテーブルである。
図４は、図１に示した情報処理装置のメモリ２６に記憶されているアドレス対応情報Ｄ＿Ａの一具体例を示す図である。
具体的には、アドレス対応情報Ｄ＿Ａは、例えば図４に示したように、チャンネルと、アドレス情報であるＵＲＬ（Ｕｎｉｆｏｒｍ　ｒｅｓｏｕｒｃｅ　ｌｏｃａｔｏｒ）とを対応付けるテーブルを含む。
アドレス対応情報Ｄ＿Ａは、例えば情報提供サーバ５からダウンロードされてもよい。
【００３１】
ＣＰＵ２７は、例えば、メモリ２６に記憶されているプログラムＰに応じて、メモリ２６をワークスペースとして所定の処理を行う。
また、ＣＰＵ２７は、メモリ２６に記憶されているチャンネル対応情報Ｄ＿Ｃや、アドレス対応情報Ｄ＿Ａに基いて所定の処理を行う。
【００３２】
図５は、図１に示した情報処理装置のソフトウェア的な機能ブロックの一具体例を示す図である。
ＣＰＵ２７は、例えば図５に示すように、受信信号処理２７１、電源制御２７２、番組特定２７３、連動情報源獲得２７４、連動情報表示２７５等の処理を行う。例えば、上述の処理はオブジェクト化されている。
【００３３】
受信信号処理２７１は、例えば、受信部２５においてリモコン装置４から出力された信号と、メモリ２６に記憶されているチャンネル対応情報Ｄ＿Ｃとに基いて、受信された信号と関連付けられた動作が特定される。
具体的には、例えば、チャンネル選択信号の場合には、対応するチャンネルが特定される。また、電源制御信号が受信された場合には電源制御処理の動作が特定される。
【００３４】
電源制御２７２は、電源制御信号が受信された場合には、情報処理装置２の電源を、テレビ３の電源のオン状態およびオフ状態に連動させる。また、スタンバイモードおよび通常モードを切替える処理を行ってもよい。
【００３５】
ＣＰＵ２７は、入力部２２で受信されたチャンネル選択信号に対応する関連画像を提供する情報提供サーバ５にＩＦ２１を介してアクセスし、その情報提供サーバ５から提供されたチャンネル選択信号に対応する関連画像を表示部２３に表示させる処理を行う。以下、具体的に説明する。
【００３６】
番組特定２７３は、例えば、チャンネル選択信号が受信部２５で受信された場合には、例えば、チャンネル選択信号およびアドレス対応情報Ｄ＿Ａに基いてアドレス情報を特定し、情報編成情報提供サーバ５−１にＩＦ２１を介してアクセスし、チャンネル選択信号、現在の時刻を示す時刻情報に基いて、現在放送中の番組を特定する。
【００３７】
連動情報源獲得２７４は、番組情報提供サーバ５−２にＩＦ２１を介してアクセスし、特定された番組に関連した情報を提供する情報源情報を得る。
連動情報表示２７５は、特定された情報源情報に基いて、テレビ連動情報提供サーバ５−３へアクセスして、情報源情報に基いたテレビ連動情報を受信し、表示部２３にテレビ連動情報に応じた関連画像を表示させる。
【００３８】
情報提供サーバ５は、上述した形態に限られるものではない。例えば、番組編成提供サーバ５−１、番組情報提供サーバ５−２、およびテレビ連動情報提供サーバ５−３は同一のサーバに含まれてもよい。
【００３９】
また、ＣＰＵ２７は、テレビジョン放送の所定のチャンネルで放送される番組の切替に応じて、その番組に対応する関連画像を提供する情報提供サーバ５にＩＦ２１を介してアクセスし、情報提供サーバ５から提供された関連画像を表示させる処理を行う。
具体的には、ＣＰＵ２７は、例えば情報編成情報提供サーバ５−１にＩＦ２１を介してアクセスし、所定の時間の経過により、テレビジョン放送の所定のチャンネルで放送される番組が切替ると、その番組に応じた関連画像を提供するアドレス情報を更新し、そのアドレス情報に基づいてＩＦ２１を介して、その番組に関連する情報提供サーバ５にアクセスして、提供された関連画像を表示させる処理を行う。
この際、ＣＰＵ２７は、メモリ２６に記憶されているアドレス対応情報Ｄ＿Ａを更新してもよい。
【００４０】
図６は、図１に示した情報処理装置の動作の一具体例を説明するためのフローチャートである。情報処理装置２の動作、特にリモコン装置４から出力される信号に含まれるコードを定義する処理を図６を参照しながら説明する。
【００４１】
ステップＳＴ１において、初期設定時には、ＣＰＵ２７では、リモコン装置４から送信されるチャンネル選択信号に対応した、情報処理装置２の動作を定義する。
具体的には、例えば、ユーザの操作により入力部２２から、定義したいチャンネルを設定するための設定データが入力され、定義したいチャンネルが選択される。
【００４２】
ステップＳＴ２において、例えばユーザにより操作されたリモコン装置４から、定義した動作に対応する信号、例えばリモコンコードを含む信号が送信される。
ＣＰＵ２７では、受信部２５で受信された信号に含まれるリモコンコードと、設定データ、つまり先ほど定義した動作とを関連付けて、チャンネル対応情報Ｄ＿Ｃを生成する。
【００４３】
チャンネル対応情報Ｄ＿Ｃを正常に定義した場合には（ＳＴ３）、ＣＰＵ２７では、生成したチャンネル対応情報Ｄ＿Ｃをメモリ２６に記憶させる。
一方、ステップＳＴ３において、例えば受信状態が悪い等の理由により定義できない場合には、ステップＳＴ１の処理に戻る。
【００４４】
例えば、一般的に、製造メーカそれぞれで、テレビ３とリモコン装置４で用いられるリモコンコードが異なる。
上述したように本実施の形態では、例えば入力部２２から、動作として“８ｃｈを選局”と定義するデータを入力し、リモコン装置４から当該動作を表す“８ボタン”を操作することで、受信部２５で受信された８ｃｈを示すチャンネル選択信号と、８ｃｈを選局する動作とを関連付けるチャンネル対応情報Ｄ＿Ｃを作成する。
こうすることにより、リモコンコードが異なる場合であっても、例えばリモコン装置４から送信される８ｃｈを示すチャンネル選択信号を受信部２７で８ｃｈを示すチャンネル選択信号が受信された場合には、ＣＰＵ２８は、チャンネル対応情報Ｄ＿Ｃに基いて、定義された所定の動作を行うことができる。
【００４５】
図７は、図１に示した情報処理装置の動作の一具体例を説明するためのフローチャートである。情報処理装置１の動作、特にテレビ３に表示されている画像に関連する画像を表示させる動作を図７を参照しながら説明する。
【００４６】
ステップＳＴ１１において、ＣＰＵ２７では、受信部２５を監視して、所定の信号が受信されたと判別された場合には、信号解析が行われる（ＳＴ１２）。
具体的には、ＣＰＵ２７では、信号解析処理として、メモリ２６に記憶されているチャンネル対応情報Ｄ＿Ｃに基いて、受信された信号に対応するチャンネルや、その他の制御動作が特定される。
【００４７】
ステップＳＴ１３において、ＣＰＵ２７では、信号解析処理の結果、電源制御信号であるか否かが判別される。電源制御信号であると判別された場合には、ＣＰＵ２７では、上述した所定の電源制御処理が行われ（ＳＴ１４）、ステップＳＴ１１の処理に戻る。
【００４８】
具体的には、例えば、ＣＰＵ２７は、電源管理部２４でテレビ３の電源の消費電力を監視させ、所定の消費電力よりも大きい場合には、テレビ３がオン状態にあると判別して、情報処理装置２に供給する電源を切断する等して情報処理装置２の電源の供給をストップ、または、表示部２３への電源の供給をストップさせる等のスタンバイ処理を行う。
また、例えば電源の制御信号が入力されたと判別した場合には、所定の処理を行う。例えば、表示部２３にテレビ３の電源を終了させる等のメッセージを表示させる。そしてステップＳＴ１１の処理に戻る。
【００４９】
一方、ステップＳＴ１３の判別において、電源制御信号が入力されていないと判別された場合には、ステップＳＴ１７の処理に進む。
【００５０】
一方、ステップＳＴ１１の判別において、ＣＰＵ２７では、受信部２５において、信号が入力されていないと判別された場合には、メモリ２６に既にテレビ３で表示されている番組に連動した情報源情報を記憶しているか否かが判別される（ステップＳＴ１５）。記憶していないと判別された場合には、ステップＳＴ１１の処理に戻る。
【００５１】
一方、ステップＳＴ１６の判別において、情報源情報がメモリ２６に記憶されていると判別された場合には、更新のタイミングであるか否かが判別される。例えば、更新タイミングは、予め設定されたタイミング、例えば１時間毎等である。また、更新のタイミングは、テレビ連動情報提供サーバ５−３で設定してもよい。ＣＰＵ２７は、更新タイミングでないと判別された場合にはステップＳＴ１１の処理に戻る。一方、更新タイミングであると判別された場合には、ステップＳＴ１７の処理に進む。
【００５２】
ステップＳＴ１７において、ＣＰＵ２７では、受信部２５で受信された信号がチャンネル選択信号の場合には、チャンネル選択信号およびアドレス対応情報Ｄ＿Ａに基いてアドレス情報を特定し、特定されたアドレス情報に基いて、ＩＦ２１および通信ネットワーク６を介して、番組編成提供サーバ５−１にアクセスして、選択されたチャンネルと現時刻を示す時刻情報に基いて、現在放送中の番組を特定する。
【００５３】
ステップＳＴ１８において、ＣＰＵ２７では、ＩＦ２１および通信ネットワーク６を介して、番組情報提供サーバ５−２にアクセスして、特定された番組に連動する情報源情報に応じたテレビ連動情報を受信する。
【００５４】
ステップＳＴ１９において、ＣＰＵ２７では、ＩＦ２１および通信ネットワーク６を介して、テレビ連動情報提供サーバ５−３にアクセスして、テレビ連動情報源に応じた関連画像を含むテレビ連動情報を受信し、表示部２３に関連画像を表示させる処理を行う（ＳＴ２０）。ステップＳＴ１１の処理に戻る。
【００５５】
以下、テレビ３に表示される画像、および、情報処理装置２の表示部２３に表示される画像の一具体例を、図８，９，１０を参照しながら説明する。
【００５６】
テレビ３に常時表示されていない情報を、情報処理装置２の表示部２３に表示する場合を説明する。
例えば、図８に示すように、テレビ３で野球等のスポーツ番組が表示されている場合には、現在の総得点やストライクやボール等の情報は表示されているが、得点経過等の情報がたまにしか表示あるいはアナウンスされないので、情報処理装置２は、情報提供サーバ５にアクセスし、このような情報（関連画像）を表示部２３に表示することで、視聴者はより詳細な番組に連動した付加情報を獲得できる。
【００５７】
また、テレビ３に表示されている番組に関する情報を、情報処理装置２の表示部２３に表示する場合を説明する。
例えば、図９に示すように、テレビ３で料理番組等が表示されている場合には、情報処理装置２は、情報提供サーバ５にアクセスし、その料理番組で放送されている料理と連動したレシピを含む関連画像を表示部２３に表示する。この場合、情報処理装置２では、そのレシピをメモリ２６に記憶してもよい。
【００５８】
また、例えば図１０に示すように、テレビ３で、数学等の教育番組が表示されている場合には、情報処理装置２は、情報提供サーバ５にアクセスし、その番組と連動した関連画像、例えば数式等を含む関連画像を表示部２３に表示させる。
【００５９】
以上説明したように、情報処理装置２に、テレビジョン受信機３の近傍に設置され、テレビジョン受信機３に所定のチャンネルを選択させるチャンネル選択信号を受信する受信部２５と、通信ネットワーク６を介して通信を行うＩＦ２１と、受信部２５で受信されたチャンネル選択信号に対応する関連画像を提供する情報提供サーバ５にＩＦ２１を介してアクセスし、情報提供サーバ５から提供されたチャンネル選択信号に対応する関連画像を表示させる処理を行うＣＰＵ２７と、関連画像を表示する表示部２３とを設ける。
このため、例えばユーザがテレビジョン受信機３のリモコン装置４から、所望のチャンネル選択信号を出力させるという簡単な操作で、情報処理装置２の表示部２３に、テレビ３の表示画像の関連画像を表示することができる。
【００６０】
また、既存のテレビ３に、本実施の形態に係る情報処理装置２を設けることで、簡単にテレビ３の表示画像の関連画像を情報処理装置２に表示することができる。
【００６１】
また、テレビジョン放送とは別に、通信ネットワークを介して情報提供サーバから関連情報、関連画像が提供されるので、例えばテレビジョン放送のデータ放送に比べて、より情報量の多い関連情報、関連画像を表示することができる。
【００６２】
また、例えばデータ放送も受信して表示するテレビの場合のように、テレビの動画表示領域を狭めてデータ放送の情報を表示する必要がなく、関連画像を表示することができる。
【００６３】
また、所定のタイミングで情報提供サーバにアクセスし、関連画像や、番組に連動した情報を自動的に更新するので、常に最新の関連画像を表示部２３に表示させることができる。
また、電源管理部２４を設けたので、テレビ３の稼動および停止に連動して、情報処理装置２の稼動および停止を行うことができる。
【００６４】
なお、本発明は本実施の形態に限られるものではなく、任意好適な種々の改変が可能である。
例えば、情報提供サーバを複数設けたが同一のサーバであってもよい。
【００６５】
【発明の効果】
本発明によれば、煩雑な操作を行うことなく、テレビの表示画像に関連する画像を表示可能な情報処理装置、情報処理方法、およびプログラムを提供することができる。
【図面の簡単な説明】
【図１】図１は、本発明に係る情報表示システムの一実施の形態を示す全体図である。
【図２】図２は、図１に示した情報処理装置のハードウェア的な機能ブロック図である。
【図３】図３は、図１に示した情報処理装置のメモリに記憶されているチャンネル対応情報Ｄ＿Ｃの一具体例を示す図である。
【図４】図４は、図１に示した情報処理装置のメモリに記憶されているアドレス対応情報Ｄ＿Ａの一具体例を示す図である。
【図５】図５は、図１に示した情報処理装置のソフトウェア的な機能ブロックの一具体例を示す図である。
【図６】図６は、図１に示した情報処理装置の動作の一具体例を説明するためのフローチャートである。
【図７】図７は、図１に示した情報処理装置の動作の一具体例を説明するためのフローチャートである。
【図８】図８は、図１に示したテレビジョン受信機で表示される画像と、情報処理装置の表示部で表示される関連画像の一具体例を示す図である。
【図９】図９は、図１に示したテレビジョン受信機で表示される画像と、情報処理装置の表示部で表示される関連画像の一具体例を示す図である。
【図１０】図１０は、図１に示したテレビジョン受信機で表示される画像と、情報処理装置の表示部で表示される関連画像の一具体例を示す図である。
【符号の説明】
１…情報表示システム１、２…情報処理装置、３…テレビジョン受信機（テレビ）、４…リモコン装置（リモコン）、５…情報提供サーバ、５−１…番組編成提供サーバ、５−２…番組情報提供サーバ、５−３…テレビ連動情報提供サーバ、６…通信ネットワーク、２１…ＩＦ、２２…入力部、２３…表示部、２４…電源管理部、２５…受信部、２６…メモリ、２７…ＣＰＵ。
【図１】
2004096529.tif 000003
【図２】
2004096529.tif 000004
【図３】
2004096529.tif 000005
【図４】
2004096529.tif 000006
【図５】
2004096529.tif 000007
【図６】
2004096529.tif 000008
【図７】
2004096529.tif 000009
【図８】
2004096529.tif 000010
【図９】
2004096529.tif 000011
【図１０】
2004096529.tif 000012